(57)【要約】【課題】電子番組表示装置において、登録済みの録画予約番組を表示した画面上から、簡単な操作で予約番組の確認を容易かつ迅速に行うことができるようにする。【解決手段】電子番組表示装置１０は、テレビ放送を復調するチューナ部１、電子番組表のデータを取得するＥＰＧ取得部９、映像信号を画面表示する表示部６、録画予約番組を登録し、その一覧表を備える番組予約手段とＥＰＧ番組表を表示する番組表表示手段とを有して電子番組表示装置１０全体を制御するＣＰＵ１１、及びリモコン装置１３を備える。ユーザが録画予約番組の確認の際、リモコン装置１３の操作キーで録画予約番組一覧表を表示し、この一覧表から確認しようとする予約番組を操作キーで選択したとき、この番組の日時及びチャンネルに対応する電子番組表が表示される。これにより、簡単な操作で迅速に録画予約番組に対応した最新の電子番組表が表示されるので、録画予約番組の確認を容易に行うことができる。【選択図】図１
2008085586.tif 000002
【特許請求の範囲】
【請求項１】
電子番組表のデータを含むデジタルテレビ放送信号を受信して放送チャンネル毎の番組表を表示する電子番組表示装置において、
前記デジタルテレビ放送信号を映像音声信号に復調する映像音声復調手段と、
前記映像音声復調手段からの映像信号を画面表示する表示手段と、
前記映像信号から電子番組表のデータを取得する電子番組表取得手段と、
前記電子番組表示装置全体を制御する制御手段と、
前記電子番組表示装置を操作キーにより制御するリモコン装置と、を備え、
前記制御手段は、ユーザが番組の録画を予約登録する番組予約手段と、前記電子番組表取得手段で取得した電子番組表を表示する番組表表示手段と、を有し
前記番組予約手段は、ユーザが予約登録した録画予約番組の一覧表を記憶し、ユーザが登録録画予約番組を確認する際、前記リモコン装置の操作キーにより前記録画予約番組一覧表が選択されたときに、この録画予約番組一覧表に録画予約番組が存在する場合は、前記表示手段に前記録画予約番組一覧表を表示し、
前記番組表表示手段は、前記リモコン装置の操作キーにより前記録画予約番組一覧表からユーザが確認しようとする録画予約番組を選択した状態で、前記操作キーの所定のキーが操作されたとき、前記電子番組表取得手段により、この選択された録画予約番組の日時及びチャンネルと、その前後の時間及び隣接するチャンネルに対応する最新の電子番組表を取得して、この取得された電子番組表を前記表示手段に表示し、この表示は、前記選択された録画予約番組の日時及びチャンネルに対応する内容を表示画面の略中心部に位置させ、その周囲に前記日時の前後の時間及び隣接するチャンネルの内容を表示させるものとし、
前記番組予約手段における録画予約番組一覧表に録画予約番組が存在しない場合及び前記選択した録画予約番組が前記電子番組表で表示できる範囲外の日時の場合は、いずれも現在の日時における電子番組表又は前回表示した電子番組表を表示する、
ことを特徴とする電子番組表示装置。
【請求項２】
電子番組表のデータを含むデジタルテレビ放送信号を受信して放送チャンネル毎の番組表を表示する電子番組表示装置において、
前記電子番組表のデータを取得する電子番組表取得手段と、
前記電子番組表を画面表示する表示手段と、
前記電子番組表示装置全体を制御する制御手段と、を備え、
前記制御手段は、ユーザが番組の録画を予約登録する番組予約手段と、前記電子番組表取得手段で取得した電子番組表を表示する番組表表示手段と、を有し、
前記番組予約手段は、ユーザが予約登録した録画予約番組の一覧表を記憶し、
前記番組表表示手段は、ユーザが前記録画予約番組一覧表から確認しようとする録画予約番組を選択したとき、前記電子番組表取得手段により、この選択された録画予約番組の日時及びチャンネルに対応する電子番組表を取得して、この取得した電子番組表を前記表示手段に表示することを特徴とする電子番組表示装置。
【請求項３】
前記電子番組表示装置を操作キーにより制御するリモコン装置をさらに備え、
前記番組表表示手段は、前記リモコン装置のキー操作に基づいて前記録画予約番組一覧表及び前記選択された録画予約番組の日時及びチャンネルに対応する電子番組表を前記表示手段に表示することを特徴とする請求項２に記載の電子番組表示装置。
【発明の詳細な説明】
【技術分野】
【０００１】
本発明は、電子番組表のデータを含むデジタルテレビ放送信号を受信するデジタルテレビ放送受信機やＤＶＤレコーダ等において、電子番組表を取得して表示する電子番組表示装置に関する。
【背景技術】
【０００２】
ＢＳ／ＣＳ衛星放送及び地上デジタル放送等における多チャンネルのディジタルテレビ放送においては、従来のアナログ放送と同様に映像や音声を送信することに加え、番組サービス情報（番組名、番組内容、番組開始時刻、番組終了時刻、番組ジャンルコード等）も送信している。そして、このような番組サービス情報を取得するデジタルテレビ受信機やＤＶＤレコーダにおいては、ＯＳＤ（オンスクリーンディスプレイ）機能を用いたＥＰＧ（Ｅｌｅｃｔｒｏｎｉｃ  Ｐｒｏｇｒａｍ  Ｇｕｉｄｅ）画面表示機能によって、多チャンネル放送のなかからユーザが望む番組を効率良く選択できると共に、放送予定されている番組をＥＰＧ上で選択して録画予約や視聴予約等を行うことができる電子番組表示装置を備えている。
【０００３】
しかし、このような従来の電子番組表示装置においては、登録済みの録画予約の番組内容などを確認する際に、予約画面を見て確認したい予約番組があると、一旦、ＥＰＧ番組表示キーで電子番組表を表示してから、電子番組表上で日付と時間をキー操作して目的の録画予約番組を捜す必要があった。さらに、ＥＰＧ番組表示キーで電子番組表を表示したときは、通常、現在日時の番組表を表示するか、前回の番組表を表示した状態が表示されるので、これらの電子番組表には最初から目的の録画予約番組が表示されている場合が少なく、この予約番組に対応する番組表を表示するには、これらの電子番組表の表示画面をキー操作によりスクロールする必要があり、予約番組の確認や録画予約変更に時間を要していた。
【０００４】
ところで、このような電子番組表示装置を備えたものとして、特許文献１に示されるように、ユーザが指定したジャンルに該当する番組を抽出し、これらの一覧からなるジャンル検索結果画面を表示させ、このジャンル検索結果画面の横に、ガイド表示ボタンを設け、ガイド表示ボタンを押すか、また、リモコン送信機にあるガイド表示キーを押すことにより、ユーザによって仮選択された番組とともに、仮選択された番組の放送時間帯に放送される他のジャンル検索番組が表示されるように、番組ガイド表示時間を設定して、番組ガイドを表示させる番組ガイド表示手段を備えたデジタルテレビ放送受信機が知られている。
【０００５】
また、特許文献２に示されるように、予約録画された番組（記録番組）の一覧が画面表示されている状態で記録番組を選択すると、番組入れ替えモードに入り、画面に放送予定の番組ガイドを表示し、ユーザがこの番組ガイドから特に見る予定のない番組を選択し、この見る予定のない放送予定番組の時間に選択された記録番組を再生するデジタル放送受信機が知られている。
【０００６】
また、特許文献３に示されるように、チャンネル別の電子番組表において、表示するチャンネル別の行又は列に加えてユーザ選択の行又は列を設け、このユーザ選択の行又は列にユーザが視聴する予定のユーザ選択番組又は放映時間に自動的に受信するよう予約した予約番組を表示する電子番組表示装置が知られている。
【０００７】
しかしながら、上記特許文献１乃至特許文献３に示されるような装置においては、録画予約番組一覧表から予約確認する番組を選択した場合、選択した予約番組の日時及びチャンネルに対応する電子番組表に移行することができず、この対応する電子番組表が表示されなかった。このため、登録済みの予約録画の番組内容などの確認には、前述と同様に電子番組表上でキー操作により番組画面を移動する必要があり、録画予約番組の確認や予約変更に煩わしい操作を要していた。
【特許文献１】特開２００１−３４６１１５号公報
【特許文献１】特開２００２−２９０８８７号公報
【特許文献１】特開２００３−１９８９７８号公報
【発明の開示】
【発明が解決しようとする課題】
【０００８】
本発明は、上記の問題を解決するためになされたものであり、登録済みの録画予約番組を表示した画面上から、簡単な操作で迅速に最新の電子番組表の画像表示へ移行することができ、予約番組の確認を容易に行うことが可能な電子番組表示装置を提供することを目的とする。
【課題を解決するための手段】
【０００９】
上記目的を達成するために請求項１の発明は、電子番組表のデータを含むデジタルテレビ放送信号を受信して放送チャンネル毎の番組表を表示する電子番組表示装置において、前記デジタルテレビ放送信号を映像音声信号に復調する映像音声復調手段と、前記映像音声復調手段からの映像信号を画面表示する表示手段と、前記映像信号から電子番組表のデータを取得する電子番組表取得手段と、前記電子番組表示装置全体を制御する制御手段と、前記電子番組表示装置を操作キーにより制御するリモコン装置と、を備え、前記制御手段は、ユーザが番組の録画を予約登録する番組予約手段と、前記電子番組表取得手段で取得した電子番組表を表示する番組表表示手段と、を有し前記番組予約手段は、ユーザが予約登録した録画予約番組の一覧表を記憶し、ユーザが登録録画予約番組を確認する際、前記リモコン装置の操作キーにより前記録画予約番組一覧表が選択されたときに、この録画予約番組一覧表に録画予約番組が存在する場合は、前記表示手段に前記録画予約番組一覧表を表示し、前記番組表表示手段は、前記リモコン装置の操作キーにより前記録画予約番組一覧表からユーザが確認しようとする録画予約番組を選択した状態で、前記操作キーの所定のキーが操作されたとき、前記電子番組表取得手段により、この選択された録画予約番組の日時及びチャンネルと、その前後の時間及び隣接するチャンネルに対応する最新の電子番組表を取得して、この取得された電子番組表を前記表示手段に表示し、この表示は、前記選択された録画予約番組の日時及びチャンネルに対応する内容を表示画面の略中心部に位置させ、その周囲に前記日時の前後の時間及び隣接するチャンネルの内容を表示させるものとし、前記番組予約手段における録画予約番組一覧表に録画予約番組が存在しない場合及び前記選択した録画予約番組が前記電子番組表で表示できる範囲外の日時の場合は、いずれも現在の日時における電子番組表又は前回表示した電子番組表を表示するものである。
【００１０】
請求項２の発明は、電子番組表のデータを含むデジタルテレビ放送信号を受信して放送チャンネル毎の番組表を表示する電子番組表示装置において、前記電子番組表のデータを取得する電子番組表取得手段と、前記電子番組表を画面表示する表示手段と、前記電子番組表示装置全体を制御する制御手段と、を備え、前記制御手段は、ユーザが番組の録画を予約登録する番組予約手段と、前記電子番組表取得手段で取得した電子番組表を表示する番組表表示手段と、を有し、前記番組予約手段は、ユーザが予約登録した録画予約番組の一覧表を記憶し、前記番組表表示手段は、ユーザが前記録画予約番組一覧表から確認しようとする録画予約番組を選択したとき、前記電子番組表取得手段により、この選択された録画予約番組の日時及びチャンネルに対応する電子番組表を取得して、この取得した電子番組表を前記表示手段に表示するものである。
【００１１】
請求項３の発明は、請求項２に記載の電子番組表示装置において、前記電子番組表示装置を操作キーにより制御するリモコン装置をさらに備え、前記番組表表示手段は、前記リモコン装置のキー操作に基づいて前記録画予約番組一覧表及び前記選択された録画予約番組の日時及びチャンネルに対応する電子番組表を前記表示手段に表示するものである。
【発明の効果】
【００１２】
請求項１の発明によれば、登録済みの予約録画の番組内容を確認するときに、所定のキー操作のみにより選択した番組の日時及びチャンネルに対応する最新の電子番組表を表示できるので、予約番組を簡単な操作で迅速に確認できる。また、選択した予約番組を電子番組表の表示画面の中心部に表示できるので、表示画面上で目的の予約番組を容易に見つけることができると共に、他の番組を含め最新番組情報を確認でき、より見たい番組への録画予約変更も容易に行うことのできる。また、毎週決まった曜日の時間帯に周期的に予約録画を登録してある場合などにおいて、特別番組編成により予約した録画番組の開始時間や終了時間に変更があった場合に、番組時間変更を比較的簡単に確認できるようになる。また、番組表を使わずに手作業で時間設定した予約の設定が間違っていないかの確認も簡単に行える。
【００１３】
請求項２の発明によれば、録画予約番組の予約を確認するときに、録画予約番組一覧表から確認する録画予約番組を選択すると、選択した録画予約番組の日時及びチャンネルに対応する電子番組表を表示できるので、予約番組の内容の確認を迅速に行うことができる。
【００１４】
請求項３の発明によれば、表示画面を見ながらリモコン装置のキー操作により簡単に録画予約番組の予約確認を行うことができる。
【発明を実施するための最良の形態】
【００１５】
以下、本発明の一実施形態に係る電子番組表示装置について、図１乃至図４を参照して説明する。本実施形態の電子番組表示装置１０は、電子番組表のデータを取得できる録画機の形態を成すものであり、チューナ部１（映像音声復調手段）、ＭＰＥＧエンコーダ２、ＤＶＤドライブ３、ＭＰＥＧデコーダ４、ＯＳＤ（オンスクリーンディスプレイ）回路５、表示部６、Ｍ音声出力部７、スピーカ８、ＥＰＧ取得部９（電子番組表取得手段）、ＣＰＵ１１（番組予約手段、番組表表示手段、制御手段）、リモコン装置１３、及びリモコン受信部１４を備える。
【００１６】
チューナ部１は、アンテナ等からの電子番組表のデータが付加されたデジタルテレビ放送信号を受信し、チャンネルを選局し、この選局したチャンネルのデジタルテレビ放送信号を復調し映像音声信号を出力し、この映像音声信号をＭＰＥＧエンコーダ２とＥＰＧ取得部９に入力する。この映像音声信号には、映像信号及び音声信号と共に、選局した局からの番組情報等の付加情報が含まれる。ＭＰＥＧエンコーダ２は、入力された映像音声信号を録画記録するＤＶＤドライブ３（ＤＶＤディスク含む）に記録できるようにＤＶＤフォーマットのＭＰＥＧ信号に符合化し、このＭＰＥＧ信号をＤＶＤドライブ３に記録する。ＤＶＤドライブ３は、ＭＰＥＧ信号の映像音声信号をＤＶＤ−Ｒ／ＲＷ，ＤＶＤ＋Ｒ／ＲＷ，ＤＶＤ−ＲＡＭ等のＤＶＤディスクに記録する。ＭＰＥＧデコーダは、このＤＶＤドライブ３の再生時に、ＤＶＤディスクに記録されたＭＰＥＧ信号を復号化し、元の映像音声信号に再生する。この再生された映像音声信号のうち、映像信号は電子番組表を重畳するＯＳＤ回路５に入力され、このＯＳＤ回路５の出力は表示部６で表示される。また、ＭＰＥＧデコーダ４からの映像音声信号のうち音声信号は、音声増幅する音声出力部７に入力され、その音声出力はスピーカ８に入力され拡声される。また、ＣＰＵ１１は、ユーザによる録画番組の予約登録を行い（番組予約手段として機能する）、ＥＰＧ取得部９で取得した電子番組表を表示する（番組表表示手段として機能する）と共に、装置全体を制御する。また、記憶部１２は、ＣＰＵ１１、ＥＰＧ取得部９、ＭＰＥＧエンコーダ２、及びＭＰＥＧデコーダ４などのそれぞれのメモリとなる。リモコン装置１３は、電子番組表示装置１０を操作キーで制御する赤外線利用の遠隔操作装置であり、リモコン受信部１４は、このリモコン装置１３からのリモコン信号を受信してＣＰＵ１１に伝達する。
【００１７】
また、ＥＰＧ取得部９は、チューナ部１からの映像音声信号に付加されている番組サービス情報から電子番組情報（番組内容、番組開始時間、番組終了時間、ジャンルコード等が含まれている）のデータを抽出して取得し、このデータを記憶部１２に記憶する。ＣＰＵ１１は、記憶部１２に格納されている番組情報に基づいて放送予定の番組ガイドを作成し、ＯＳＤ回路５にその表示指令を出す。ＯＳＤ回路５は、ＣＰＵ１１により電子番組表を映像信号のフォートに変換されたＥＰＧ信号を、ＭＰＥＧデコーダ４からの映像信号にスーパーインポーズする。このＥＰＧ信号が重畳された映像信号は、液晶ディスプレイ等からなる表示部６に表示され、この表示部６において電子番組表を見ることができる。
【００１８】
リモコン装置１３は、図２に示すように、リモコン受信部１４に指令を送出するための送信機である。リモコン装置１３に設けられたキーを操作すると、そのキーに対応した指令を意味する信号光（リモコン信号）が図示しない発光部から送出される。リモコン受信部１４は、リモコン装置１３のキーが操作されたときに出射される信号光を受光し、これを電気信号に変換してＣＰＵ１１に与える。
【００１９】
上記のように構成された電子番組表示装置１０において、ユーザが番組の予約録画を行うときには、リモコン装置１３によって必要な入力操作を行う。ユーザは番組ガイドを画面上で見ながらリモコン装置１３の上下左右キーでカーソルを移動させ、決定キー（又は予約・変更キー）を押下することでＣＰＵ１１により番組を録画予約することができる。ここで、ＣＰＵ１１は、選択された録画番組に関する情報（番組ＩＤ，番組名，チャンネル，放送時間等）を予約録画情報として記憶部１２に格納する。次に、ユーザが録画予約番組を確認するとき、リモコン装置１３のキーを操作し、録画予約番組一覧表を表示部６に表示させる。このとき、ＣＰＵ１１は記憶部１２から予約録画情報を読み出し、予約録画一覧を作成し、ＯＳＤ回路５にて録画予約番組一覧表の画面を表示させる。ユーザがこの録画予約番組一覧の表示画面上でカーソルを移動させてリモコン装置１３の決定キーを操作すると、ＣＰＵ１１は予約録画番組の選択が行われたと判断し、記憶部１２に記憶されている録画予約番組から選択された録画予約番組を取り出してこの予約番組を含む電子番組表を表示する。
【００２０】
ここで、ユーザが登録した録画予約番組を確認する際の動作手順について、図３のフローチャートを参照して説明する。先ず、ユーザがリモコン装置１３のキー操作により録画予約や視聴予約の番組ガイドを表示するメニューキーを押して（Ｓ１）、番組ガイドのメニューリストの中から録画予約番組一覧表を選択して決定キーを押すと（Ｓ２）、ＣＰＵ１１は、この録画予約番組一覧表に少なくとも録画予約番組が存在する場合は（Ｓ３でＹＥＳ）、録画予約番組一覧表を表示する（Ｓ５）。次に、ユーザがこの録画予約番組一覧表上で確認する録画予約番組をカーソルで選択して（Ｓ６）、ＥＰＧ番組表示キー（又は決定キー）が入力されると（Ｓ７）、ＣＰＵ１１は、選択した録画予約番組が電子番組表で表示できる範囲内の日時の場合は（Ｓ８でＹＥＳ）、ＥＰＧ取得部９により選択された番組の日時及びチャンネルに対応する最新の電子番組表を取得し、この電子番組表における前記選択された録画予約番組の表示位置を表示部６の表示画面の略中心部に位置させると共に、この中心部の周囲に選択された録画予約番組の放送時間帯の前後の時間帯における複数の番組を含むこの録画予約番組のチャンネルの番組表と、複数の他のチャンネルの番組表とを互いに隣接して放送チャンネル番号順に配置させるように、電子番組表の番組の日時表示及びチャンネル表示の表示位置を調整して確認用の電子番組表を表示部６に表示する（Ｓ９）。また、ステップ３（Ｓ３）とステップ８においてＮＯのときは、いずれも現在の日時における番組表又は前回表示した番組表を表示する（Ｓ４）。さらに、ステップ９の確認用の電子番組表において、録画予約番組を変更する場合には、ユーザによりリモコン装置１３の録画予約変更キー（予約／変更キー）が入力されると（Ｓ１０でＹＥＳ）、電子番組表のＥＰＧ画面からカーソルで変更する録画予約番組を選択して予約取消キー（予約／変更キー）を入力し（Ｓ１１）、続いて同じくＥＰＧ画面からカーソルで新しい録画予約番組を選択して、録画予約キー（予約／変更キー）を入力し（Ｓ１２）、これにより録画予約番組が変更される。また、ステップ１０でＮＯのときは、ＣＰＵ１１は確認用の電子番組表又は現在の日時における番組表又は前回表示した番組表を表示する。
【００２１】
ここで、上記フローチャートの中のステップ５における録画予約番組一覧表及びステップ９における録画予約番組の確認用の電子番組表の例をそれぞれ図４、及び図５（ａ）、（ｂ）に示す。図５（ａ）は最新のものに更新された状態で予約設定時から録画予約番組Ａの放送予定に変更がなかった場合を示し、図５（ｂ）は同（ａ）において、録画予約番組Ａの放送予定に変更があった場合を示す。
【００２２】
図４に示すように、録画予約番組一覧表の例では、ＣＨ３において毎週の日曜日（５月１日、８日、１５日）の１９時〜２０時のドラマを周期的に録画予約している。ここで、５月８日（日）のＣＨ３の１９時〜２０時のドラマの録画予約を確認するためにこの番組Ａをリモコン装置１３のカーソルで選んで決定すると、当初設定から番組変更がない場合は、図５（ａ）に示すように、確認したい録画予約番組Ａの日時及びチャンネルに対応する最新の更新された電子番組表が表示される。さらに、この録画予約番組ＡがＥＰＧ表示画面の略中心に位置するように表示され、その周囲にこの録画予約番組Ａの放送時間帯の前後の時間帯の番組及び複数の他のチャンネルを含む番組表が表示される。ここでは、この録画予約番組Ａのチャンネルが画面横方向の略中間にくるように確認する番組のチャンネルを略真中とするように表示チャンネル数を奇数の５チャンネルとしている。これにより、確認する録画予約番組Ａに対応する電子番組表を従来の画面スクロールなしに表示できると共に、多チャンネルの沢山の番組を含む電子番組表であっても確認する番組の表示位置を表示画面内から素早く見つけ出すことができる。さらに、他の複数のチャンネルの最新番組情報を確認できるので、より見たい番組の検出と録画予約変更を迅速に行うことができる。さらに、図５（ｂ）に示すように、当初予約したＣＨ３の１９時〜２０時のドラマの録画予約番組Ａの放送時間が臨時特別番組Ｂにより１時間遅れにシフトされ、確認したい録画予約番組Ａの放送予定時間帯が当初設定から変更されている場合に、この確認用の電子番組表から一目で番組変更を知ることができる。これにより、例えば、毎週決まった曜日の時間帯に周期的に予約録画を登録してある場合などにおいて、番組の内容確認や、特別番組の発生で予約した開始時間の変更、終了時間の延長の有無を比較的簡単に確認できるようになる。また、番組表を使わずに手作業で日時設定した予約設定の間違いの確認も簡単に行える。
【００２３】
上記のように、本実施形態の電子番組表示装置１０によれば、登録済みの録画予約番組を表示した画面上から、所定のキーの簡単な操作により選択した番組の日時及びチャンネルに対応する最新の電子番組表の画像表示へ移行することができるので、予約番組の確認を容易に迅速に行うことができる。また、選択した予約番組を電子番組表の表示画面の中心部に表示できるので、表示画面上で目的の予約番組を容易に見つけることができると共に、他の番組を含め最新番組情報を確認でき、より見たい番組への録画予約変更も容易に行うことのできる。また、毎週決まった曜日の時間帯に周期的に予約録画を登録してある場合などにおいて、特別番組編成により予約した録画番組の開始時間や終了時間に変更があった場合に、番組時間変更を比較的簡単に確認できるようになる。また、電子番組表を使わずに手作業で時間設定した予約の設定が間違っていないかの確認も簡単に行える。
【００２４】
また、録画予約一覧表から１つの予約番組を選択して電子番組表で確認後、続けて別の録画予約番組を確認したい場合は、再度、録画予約一覧表に戻らず、最初の確認の電子番組表を開いた状態で、例えば予約確認キーを再度押すことにより、予約登録順に連続して録画予約番組の日時及びチャンネルに対応する電子番組表を表示させることもできる。また、確認する録画予約番組を電子番組表の表示画面の略中心に位置するようにしたが、録画予約番組の確認以外の視聴予約番組の確認等、他の予約確認における電子番組表等においても選択した番組の配置を同様に行うことができる。
【００２５】
なお、本発明は各種の実施形態により実現されるが、これらに限られることなく、発明の趣旨を逸脱しない範囲において、任意に変更することができる。例えば、電子番組表の表示は、実施形態で示したチャンネル番号順でなくても必要なチャンネル番号を選んで表示してもよく、５チャンネル表示以外の多チャンネルの番組表表示であってもよい。また、確認する番組の表示画面の背景色を他と異なる色にしたり、表示文字を他の番組と変えること等により、目的の番組位置をより見つけ易くすることもできる。
【図面の簡単な説明】
【００２６】
【図１】本発明の一実施形態による電子番組表示装置の構成図。
【図２】上記電子番組表示装置におけるリモコン装置の外観図。
【図３】上記電子番組表示装置の動作手順を示すフローチャート。
【図４】上記電子番組表示装置の録画予約番組一覧表の表示例を示す図。
【図５】（ａ）は上記電子番組表示装置の録画予約番組を確認する更新された最新の電子番組表の表示例を示す図、（ｂ）は（ａ）における録画予約番組の放送予定に変更があった場合の表示例を示す図。
【符号の説明】
【００２７】
１  チューナ部（映像音声復調手段）
６  表示部（表示手段）
９  ＥＰＧ取得部（電子番組表取得手段）
１０  電子番組表示装置
１１  ＣＰＵ（制御手段、番組予約手段、番組表表示手段）
１３  リモコン装置
【図１】
2008085586.tif 000003
【図２】
2008085586.tif 000004
【図３】
2008085586.tif 000005
【図４】
2008085586.tif 000006
【図５】
2008085586.tif 000007